(57)【要約】【課題】  夏期において室内で人が快適に睡眠することが可能な管理システム、コントローラ及び管理方法を提供することを目的とする。【解決手段】  室内の空調を行う空気調和機２と、自動的に開閉して外気を室内に導入可能な自動窓３と、室内の温度を検知する室温センサ４と、屋外の温度を検知する外気温センサ６と、室内の人の睡眠中の不快感を検知可能な不快センサ５とを備え、空気調和機２の冷房動作状態から冷房動作を停止した状態において、室温センサ４と外気温センサ６と不快センサ５との検知結果に基づいて、自動窓３を動作させる。【選択図】  図１
2016070535.tif 000002
【特許請求の範囲】
【請求項１】
室内の空調を行う空気調和機と、
自動的に開閉して外気を室内に導入可能な自動窓と、
室内の温度を検知する室温センサと、
屋外の温度を検知する外気温センサと、
室内の人の睡眠中の不快感を検知可能な不快センサとを備え、
前記空気調機の冷房動作状態から冷房動作を停止した状態において、前記室温センサと前記外気温センサと前記不快センサとの検知結果に基づいて、前記自動窓を動作させる、管理システム。
【請求項２】
前記空気調機の冷房動作状態から冷房動作を停止した状態において、前記室温センサと前記外気温センサと前記不快センサとの検知結果に基づいて、前記自動窓を動作させた後に、
前記室温センサ、前記外気温センサ及び前記不快センサのうちの少なくとも一つの検知結果に基づいて、前記自動窓及び前記空気調和機を動作させる、請求項１に記載の管理システム。
【請求項３】
前記不快センサとして湿度センサを含む、請求項１又は２に記載の管理システム。
【請求項４】
少なくとも室内の空調を行う空気調和機と自動的に開閉して外気を室内に導入可能な自動窓とを制御するコントローラであって、
室内の温度と屋外の温度と室内の人の睡眠中の不快感とに基づいて、前記空気調機の冷房動作状態から冷房動作を停止した状態において、前記自動窓を動作させる、コントローラ。
【請求項５】
少なくとも室内の空調を行う空気調和機と自動的に開閉して外気を室内に導入可能な自動窓とを制御する管理方法であって、
室内の温度と屋外の温度と室内の人の睡眠中の不快感とに基づいて、前記空気調機の冷房動作状態から冷房動作を停止した状態において、前記自動窓を動作させる、管理方法。
【発明の詳細な説明】
【技術分野】
【０００１】
本発明は、室内環境を管理可能な管理システム、コントローラ及び管理方法に関する。
【背景技術】
【０００２】
室内環境を管理する技術として、特許文献１が知られている。
【０００３】
特許文献１には、建物内の対象空間の室温を変化させる空気調和機等のアクティブ機器および自動窓等のパッシブ機器を制御する制御装置であって、建物外の外気温を示す外気温情報を取得する外気温取得部と、外気温閾値を設定する閾値設定部と、外気温取得部で取得された外気温情報の外気温と閾値設定部で設定された外気温閾値とを比較する比較部と、比較部の比較結果に応じて、アクティブ機器に対してオフ制御を行いかつパッシブ機器に対して外気および外光の少なくとも一方を利用して室温を変化させる自然環境利用制御を行う第１の制御と、アクティブ機器に対してオン制御を行う第２の制御とのいずれかを選択して行う機器制御部と、アクティブ機器をオンにするためのオン操作がなされたことを示すオン操作情報を取得する操作情報取得部とを備え、機器制御部は、外気温が前記外気温閾値よりも快適側の温度範囲である場合、第１の制御を行う一方、外気温が外気温閾値よりも不快側の温度範囲である場合、操作情報取得部でオン操作情報が取得されるまで第１の制御を行い、操作情報取得部でオン操作情報が取得されると第２の制御を行う制御装置が記載されている。
【先行技術文献】
【特許文献】
【０００４】
【特許文献１】特開２０１４−８５０７０号公報
【発明の概要】
【発明が解決しようとする課題】
【０００５】
ところで、夏期において、室内で人が睡眠しようとして、空気調和機のタイマ動作を用いて冷房動作を一定時間経過後に停止させた場合、空気調和機の停止後一定時間経つと不快さを感じて、窓を空ける動作を行うことがある。
【０００６】
このようなケースにおいて、上記特許文献１には室内での検知に基づいて室内にいる人が快適となるように室内環境を制御することが示されておらず、室内で人が快適に睡眠することが可能なように室内環境を適切に制御する技術が求められている。
【０００７】
そこで、本発明は、上記問題点に鑑みてなされたものであって、夏期において室内で人が快適に睡眠することが可能な管理システム、コントローラ及び管理方法を提供することを目的とする。
【課題を解決するための手段】
【０００８】
上記課題を解決するため、本発明は、室内の空調を行う空気調和機と、自動的に開閉して外気を室内に導入可能な自動窓と、室内の温度を検知する室温センサと、屋外の温度を検知する外気温センサと、室内の人の睡眠中の不快感を検知可能な不快センサとを備え、前記空気調機の冷房動作状態から冷房動作を停止した状態において、前記室温センサと前記外気温センサと前記不快センサとの検知結果に基づいて、前記自動窓を動作させる管理システムとしている。
【０００９】
また、本発明は、少なくとも室内の空調を行う空気調和機と自動的に開閉して外気を室内に導入可能な自動窓とを制御するコントローラであって、室内の温度と屋外の温度と自室内の人の睡眠中の不快感とに基づいて、前記空気調機の冷房動作状態から冷房動作を停止した状態において、前記自動窓を動作させるコントローラとしている。
【００１０】
また、本発明は、少なくとも室内の空調を行う空気調和機と自動的に開閉して外気を室内に導入可能な自動窓とを制御する管理方法であって、室内の温度と屋外の温度と自室内の人の睡眠中の不快感とに基づいて、前記空気調機の冷房動作状態から冷房動作を停止した状態において、前記自動窓を動作させる管理方法としている。
【発明の効果】
【００１１】
本発明によれば、夏期において、余計なエネルギー消費を伴うことなく、室内で人が快適に睡眠することが可能となる。
【図面の簡単な説明】
【００１２】
【図１】本発明による実施形態の管理システムの概略構成を示す機能ブロック図である。
【図２】本発明による実施形態の管理システムの動作を説明するためのフローチャートである。
【発明を実施するための形態】
【００１３】
以下に、本発明の実施形態について図面を参照して説明する。
【００１４】
＜第１実施形態＞
図１は、第１実施形態の管理システムの概略構成を示す機能ブロック図である。図１に示す管理システムは、室内の空調を行う空気調和機２と、自動的に開閉して外気を室内に導入可能な自動窓３と、室内の温度を検知する室温センサ４と、屋外の温度を検知する外気温センサ６と、室内の人の睡眠中の不快感を検知可能な不快センサ５と、空気調和機２及び自動窓３の動作を制御するコントローラを備える。なお、図１の一点鎖線中は室内を示す。
【００１５】
ここで、空気調和機２としては、例えばヒートポンプを利用したエアーコンディショナを用いることができる。自動窓３としては、例えば建物の窓（開口部）に設置されるパワーウインドウを用いることができ、外気を室内に導入可能な大きさであれば良い。
【００１６】
次に、本実施形態における管理システム及びコントローラの動作について、図２用いてを説明する。
【００１７】
まず、室内において人が睡眠しようとして、自動窓３が閉じられた状態で、空気調和機２の冷房動作が一定時間経過後に停止するようなタイマ機能の設定を行う（Ｓ１）。なお、この空気調和機２におけるタイマ動作時の冷房動作においては、例えば１時間で０．５℃温度が上昇するなど、一定時間に一定温度だけ温度上昇するようにしても良い。
【００１８】
この状態で室内の人が睡眠に入り、一定時間経過すると、空気調和機２のタイマ機能により冷房動作が停止する（Ｓ２）。ここで、コントローラ１は、空気調和機２の冷房動作の停止を認識し、室温センサ４と外気温センサ６と不快センサ５との検知結果を受信して、自動窓３の動作を制御可能な状態となる。
【００１９】
この状態では、空気調和機２の冷房動作が停止しているため、室内の温度が上昇することになる。この室内での温度上昇に伴い、室内で睡眠していた人は不快感を抱くようになる。すると、不快センサ５がそのように不快を感じているとみなされる状態を検知し、コントローラがその検知結果を認識する（Ｓ３）。
【００２０】
次に、コントローラ１は、外気温センサ６の検知結果に基づいて外気温を認識し、設定値と比較する（Ｓ４）。その比較の結果、外気温が設定値以下であれば、コントローラ１は、自動窓３を開動作させて、外気を室内に導入可能な状態となるように制御して、一連の動作を終了する。
【００２１】
Ｓ４での比較の結果、外気温が設定値よりも高ければ、空気調和機２が一定時間冷房動作を行うように自動的にタイマ設定する。そして、この後は上述したＳ３，Ｓ４の動作を繰り返すことになる。なお、ここでの空気調和機２におけるタイマ動作時の冷房動作においては、先のタイマ動作時の冷房動作時よりも、設定温度を高くしても良いし、停止までの時間を短くしても良く、これらの温度や時間等は予め設定しておく。
【００２２】
なお、Ｓ４において外気温と比較する設定値としては、室温としても良いし、室温より一定温度高い値としても良いし、標準的に不快を感じない温度としても良いし、学習機能を用いてユーザに適した温度としても良い。
【００２３】
なお、本実施形態においては、コントローラ１が、独立して設けられた構成で説明したが、例えば空気調和機２に内蔵されるなど、他の構成の内部に備えられる構成としても良い。また、センサ４，５，６についても、例えば室温センサ４が空気調和機２に内蔵されるなど、他の構成の内部に備えられる構成としても良い。
【００２４】
以上のように、本実施形態によれば、夏期において、室内で睡眠する人が不快を認識し難くなるので、余計なエネルギー消費を伴うことなく、室内で人が快適に睡眠することが可能となる。
【００２５】
＜第２実施形態＞
第２実施形態として、上記第１実施形態の不快センサ５の一例について説明する。
【００２６】
人が不快と感じるのは、温度だけではなく湿度にも影響される。そこで、第２実施形態においては、不快センサ５として、湿度センサを用いる。
【００２７】
第２実施形態において、図２のＳ３の不快感検知は、室温センサ４と不快センサ５である湿度センサの検知結果に基づいて、室内の温度と湿度とを認識して、不快感を検知する。
【００２８】
なお、ここで、不快と判断する温度及び湿度については、標準的な値に基づいて判断しても良いし、学習機能を用いてユーザに適した値に基づいて判断するようにしても良い。
【００２９】
また、第２実施形態は、天気が雨天や曇天の場合などの湿度が高くなる傾向にある場合に特に有効である。
【００３０】
＜第３実施形態＞
第３実施形態として、上記第１実施形態の不快センサ５の一例について説明する。
【００３１】
人が睡眠中に不快を感じると、一般的に、寝返りを打つ頻度が高くなったり、手足等の部位を動かす頻度が高くなる傾向を示し易い。そこで、第３実施形態においては、不快センサ５として、カメラを用いる。
【００３２】
第３実施形態において、図２のＳ３の不快感検知は、不快センサ５であるカメラの検知結果に基づいて、室内で睡眠中の人を観察して、寝返りを打つ頻度が高くなったり、手足等の部位を動かす頻度が高くなることを画像認識して、不快感を検知する。
【００３３】
なお、ここで、不快と判断する基準については、カメラで睡眠中の人の動きを画像認識して、標準的な値に基づいて判断しても良いし、学習機能を用いてユーザに適した値に基づいて判断するようにしても良い。
【００３４】
＜第４実施形態＞
第４実施形態として、上記第１実施形態の不快センサ５の一例について説明する。
【００３５】
通常、人は気温が上昇すると、発汗により体温調整して、体温を一定に維持しようとする。しかしながら、発汗による体温調整機能の乏しい人や、脱水症状の兆候を示すような状態になると、体温が上昇することがある。そこで、第３実施形態においては、不快センサ５として、赤外線センサ（赤外線カメラ）を用いる。
【００３６】
第４実施形態において、図２のＳ３の不快感検知は、不快センサ５である赤外線センサの検知結果に基づいて、室内で睡眠中の人の体温を認識して、不快感を検知する。
【００３７】
なお、ここで、不快と判断する基準については、標準的な値に基づいて判断しても良いし、学習機能を用いてユーザに適した値に基づいて判断するようにしても良い。
【００３８】
第２〜４実施形態によれば、上述の第１実施形態における不快感検知（図２のＳ３）を行うことができる。
【００３９】
以上のように各実施形態について説明を行なったが、上述の各実施形態の構成を適宜組み合わせることも当初から想定している。
【００４０】
たとえば、上記第２実施形態と上記第３実施形態とを組合せて室温センサと湿度センサとカメラとを用いて不快感検知を行っても良いし、上記第２実施形態と上記第４実施形態とを組合せて室温センサと湿度センサと赤外線センサとを用いて不快感検知を行っても良いし、上記第３実施形態と上記第４実施形態とを組合せてカメラと赤外線センサとを用いて不快感検知を行っても良いし、上記第２〜４実施形態を組合せて室温センサと湿度センサとカメラと赤外線センサを用いて不快感検知を行っても良い。
【００４１】
今回開示された実施形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４２】
１  コントローラ
２  空気調和機
３  自動窓
４  室温センサ
５  不快センサ
６  外気温センサ
【図１】
2016070535.tif 000003
【図２】
2016070535.tif 000004